(57)【要約】【課題】タッチ位置の誤検出を防止できるとともに、感度の高いタッチ検出が可能なタッチパネル駆動装置を実現する。【解決手段】本発明に係るタッチパネルコントローラ４０は、タッチパネル３０を駆動するタッチパネル駆動部４１と、液晶パネル１１の駆動を禁止する走査禁止部４３とを備え、タッチパネル駆動部４１は、走査禁止部４３が前記走査信号線の駆動を禁止している期間にタッチパネル３０を駆動する。【選択図】図１
2013097469.tif 000002
【特許請求の範囲】
【請求項１】
表示装置に用いられるタッチパネルを駆動する駆動手段を備えるタッチパネル駆動装置であって、
前記表示装置の走査信号線の駆動を禁止する走査禁止手段を備え、
前記駆動手段は、前記走査禁止手段が前記走査信号線の駆動を禁止している期間に前記タッチパネルを駆動することを特徴とするタッチパネル駆動装置。
【請求項２】
前記タッチパネルへのタッチ入力が検出された時点から、タッチ入力が検出されなくなって所定時間経過した時点までの第１の期間では、前記駆動手段は、前記走査禁止手段が前記走査信号線の駆動を禁止している期間に前記タッチパネルを駆動し、
第１の期間以外の第２の期間では、前記駆動手段は、各フレームの垂直帰線期間に前記タッチパネルを駆動することを特徴とする請求項１に記載のタッチパネル駆動装置。
【請求項３】
タッチパネルと、当該タッチパネルを駆動するタッチパネル駆動装置とを備える表示装置であって、
前記タッチパネル駆動装置として、請求項１または２に記載のタッチパネル駆動装置を備えることを特徴とする表示装置。
【請求項４】
複数の表示画素と、各表示画素に接続されるＴＦＴとを備え、
前記ＴＦＴのチャネル層が、インジウム、ガリウムおよび亜鉛を含む酸化物半導体で形成されていることを特徴とする請求項３に記載の表示装置。
【請求項５】
表示装置に用いられるタッチパネルの駆動方法であって、
前記表示装置の走査信号線の駆動を禁止する走査禁止ステップと、
前記走査信号線の駆動が禁止されている期間に前記タッチパネルを駆動する駆動ステップとを有することを特徴とするタッチパネルの駆動方法。
【請求項６】
請求項１または２に記載のタッチパネル駆動装置の各手段としてコンピュータを動作させるためのプログラム。
【請求項７】
請求項６に記載のプログラムを記録したコンピュータ読み取り可能な記録媒体。
【発明の詳細な説明】
【技術分野】
【０００１】
本発明は、タッチパネルを駆動するタッチパネル駆動装置に関する。
【背景技術】
【０００２】
入力デバイスとしてタッチパネルを備える表示装置では、表示装置の表示動作によるノイズによって、タッチパネルが誤動作するという問題がある。例えば、タッチパネルを備える液晶表示装置では、水平同期信号に同期して、液晶パネルの走査信号線が駆動され、データ信号線に表示電圧信号が供給される期間に、液晶パネルから水平同期信号に同期したノイズが発生する。このノイズが、タッチパネルの駆動電圧に重畳されることにより、タッチ位置の誤検出が発生する。
【０００３】
これに対し、特許文献１には、液晶パネルからのノイズによるタッチパネルの誤動作を防止するために、液晶パネルの走査信号線が駆動されていない垂直帰線期間に、タッチパネルを駆動してタッチ位置を検出する技術が開示されている。
【０００４】
図６は、特許文献１に記載の表示装置の表示動作を示すタイミングチャートである。同図に示すように、１フレームは、表示期間Ｔｄおよび帰線期間Ｔｒに時分割される。表示期間Ｔｄは、走査信号線が順に選択（駆動）される期間であり、帰線期間Ｔｒは、走査信号線の駆動が終了してから次のフレームにおける走査信号線の駆動が開始されるまでの期間である。帰線期間Ｔｒでは、走査信号線が駆動されていないため、液晶パネルからのノイズが少なくなる。そこで、「タッチ点の導出タイミング」に示すように、帰線期間Ｔｒにタッチパネルを駆動させることにより、タッチ位置の誤検出を防止することができる。
【０００５】
なお、特許文献２および３にも、特許文献１に記載の技術と同様の技術が開示されている。特許文献２には、液晶駆動のライン走査を設定ライン毎に一回休止し、その間にタッチパネルを駆動する技術が開示されており、特許文献３には、液晶駆動の水平帰線期間（ライン単位の走査休止期間）にタッチパネルを駆動する技術が開示されている。
【先行技術文献】
【特許文献】
【０００６】
【特許文献１】特開２００９−２９４９０３号公報（２００９年１２月１７日公開）
【特許文献２】特開２００９−１８０９８９号公報（２００９年８月１３日公開）
【特許文献３】特開２０１１−１３９９６号公報（２０１１年１月２０日公開）
【発明の概要】
【発明が解決しようとする課題】
【０００７】
上述のような従来技術では、液晶表示のタイミングに合わせてタッチパネルの駆動を行うため、座標更新レートが液晶駆動に律束されてしまう。通常の液晶表示装置の駆動周波数は６０Ｈｚであるため、座標更新レートは６０Ｈｚを上回ることができない。そのため、上述のような従来技術は、ペン入力等の速い座標更新レートを必要とする用途には適用できないという問題がある。
【０００８】
本発明は、上記の問題点を解決するためになされたもので、その目的は、タッチ位置の誤検出を防止できるとともに、感度の高いタッチ検出が可能なタッチパネル駆動装置およびタッチパネルの駆動方法を実現することにある。
【課題を解決するための手段】
【０００９】
上記の課題を解決するために、本発明に係るタッチパネル駆動装置は、表示装置に用いられるタッチパネルを駆動する駆動手段を備えるタッチパネル駆動装置であって、前記表示装置の走査信号線の駆動を禁止する走査禁止手段を備え、前記駆動手段は、前記走査禁止手段が前記走査信号線の駆動を禁止している期間に前記タッチパネルを駆動することを特徴としている。
【００１０】
また、上記の課題を解決するために、本発明に係るタッチパネル駆動装置は、表示装置に用いられるタッチパネルの駆動方法であって、前記表示装置の走査信号線の駆動を禁止する走査禁止ステップと、前記走査信号線の駆動が禁止されている期間に前記タッチパネルを駆動する駆動ステップとを有することを特徴としている。
【００１１】
上記の構成によれば、走査信号線の駆動を禁止し、走査信号線の駆動が禁止されている期間にタッチパネルを駆動してタッチ検出を行う。換言すると、ノイズの影響を極力受けることなくタッチ検出動作を行うために、能動的に表示駆動動作を停止させる。よって、表示駆動動作に合わせてタッチ検出を行う従来構成に比べ、タッチ検出のための時間を長く確保することができる。そのため、タッチ位置の誤検出を防止できるとともに、感度の高いタッチ検出が可能なタッチパネル駆動装置およびタッチパネルの駆動方法を実現することができる。
【００１２】
本発明に係るタッチパネル駆動装置では、前記タッチパネルへのタッチ入力が検出された時点から、タッチ入力が検出されなくなって所定時間経過した時点までの第１の期間では、前記駆動手段は、前記走査禁止手段が前記走査信号線の駆動を禁止している期間に前記タッチパネルを駆動し、第１の期間以外の第２の期間では、前記駆動手段は、各フレームの垂直帰線期間に前記タッチパネルを駆動することが好ましい。
【００１３】
上記の構成によれば、ユーザがタッチ操作を行う第１の期間では、タッチ検出の感度が高い状態となり、タッチ操作が行われない第２の期間では、表示駆動動作に合わせてタッチ検出を行う。このように、タッチ操作が行われている期間のみ、タッチ検出の感度を高めることにより、常にタッチ検出の感度を高い状態とする場合に比べ、消費電力を抑えることができる。
【００１４】
本発明に係る表示装置は、タッチパネルと、当該タッチパネルを駆動するタッチパネル駆動装置とを備える表示装置であって、前記タッチパネル駆動装置として、上述のタッチパネル駆動装置を備えることを特徴としている。
【００１５】
本発明に係る表示装置は、複数の表示画素と、各表示画素に接続されるＴＦＴとを備え、前記ＴＦＴのチャネル層が、インジウム、ガリウムおよび亜鉛を含む酸化物半導体で形成されていることが好ましい。
【００１６】
上記の構成によれば、チャネル層が、インジウム、ガリウムおよび亜鉛を含む酸化物半導体（ＩＧＺＯ）で形成されたＴＦＴを用いることにより、表示画素の電荷保持期間が長くなる。このため、走査信号線の駆動が禁止されることによって駆動周波数が低下しても、表示品位を保つことができる。
【００１７】
なお、上記タッチパネル駆動装置は、コンピュータによって実現してもよく、この場合には、コンピュータを上記タッチパネル駆動装置の各手段として動作させるプログラム、及びそれを記録したコンピュータ読み取り可能な記録媒体も本発明の技術的範囲に含まれる。
【発明の効果】
【００１８】
以上のように、本発明に係るタッチパネル駆動装置は、表示装置に用いられるタッチパネルを駆動する駆動手段を備えるタッチパネル駆動装置であって、前記表示装置の走査信号線の駆動を禁止する走査禁止手段を備え、前記駆動手段は、前記走査禁止手段が前記走査信号線の駆動を禁止している期間に前記タッチパネルを駆動する構成である。
【００１９】
また、本発明に係るタッチパネル駆動装置は、表示装置に用いられるタッチパネルの駆動方法であって、前記表示装置の走査信号線の駆動を禁止する走査禁止ステップと、前記走査信号線の駆動が禁止されている期間に前記タッチパネルを駆動する駆動ステップとを有している。
【００２０】
したがって、タッチ位置の誤検出を防止できるとともに、感度の高いタッチ検出が可能なタッチパネル駆動装置およびタッチパネルの駆動方法を実現できるという効果を奏する。
【図面の簡単な説明】
【００２１】
【図１】本発明の実施形態に係る液晶表示装置の構成を示すブロック図である。
【図２】スタンバイ期間における、液晶コントローラ、タッチパネルコントローラおよびホストコントローラの出力信号を示す波形図である。
【図３】タッチ検出期間における、液晶コントローラ、タッチパネルコントローラおよびホストコントローラの出力信号を示す波形図である。
【図４】（ａ）は、スタンバイ期間における液晶コントローラの出力信号の詳細な波形を示す図であり、（ｂ）は、タッチ検出期間における液晶コントローラ、タッチパネルコントローラおよびホストコントローラの出力信号のさらに詳細な波形を示す図である。
【図５】本発明の実施形態の変形例に係る液晶表示装置の構成を示すブロック図である。
【図６】従来の表示装置の表示動作を示すタイミングチャートである。
【発明を実施するための形態】
【００２２】
本発明の実施の一形態について図１〜図５に基づいて説明すれば以下のとおりである。
【００２３】
（液晶表示装置の構成）
図１は、本実施形態に係る液晶表示装置１の構成を示すブロック図である。液晶表示装置１は、液晶モジュール１０、液晶コントローラ２０、タッチパネル３０、タッチパネルコントローラ４０およびホストコントローラ５０を備えている。
【００２４】
液晶モジュール１０は、液晶パネル１１および液晶ドライバ１２を含んで構成される。
【００２５】
液晶パネル１１には、走査信号線、データ信号線および表示画素が設けられている。走査信号線は、所定の間隔を空けて互いに平行に複数本設けられている。一方、データ信号線は、走査信号線と直交する方向に、所定の間隔を空けて互いに平行に複数本設けられている。表示画素は、走査信号線とデータ信号線との各交差点に設けられている。また、各表示画素には、スイッチング素子としてのＴＦＴが接続されている。
【００２６】
液晶ドライバ１２は、走査信号線を駆動する走査信号線ドライバと、データ信号線を駆動するデータ信号線ドライバとを備えている。走査信号線ドライバは、ＴＦＴをオンするための走査信号を各走査信号線に順次出力する。データ信号線ドライバは、各データ信号線に階調表示電圧を出力する。
【００２７】
ＴＦＴがオン状態のときに、表示画素にデータ信号線からの階調表示電圧が印加され、電荷が蓄積される。これにより、液晶の光透過率が階調表示電圧に応じて変化して、液晶パネル１１での画像表示が行われる。
【００２８】
液晶コントローラ２０は、垂直同期信号ＶＳ２、水平同期信号ＨＳなどの液晶パネル１１の表示制御を行うための信号を液晶ドライバ１２に供給する。これにより、液晶表示の駆動タイミングが制御される。
【００２９】
タッチパネル３０は、液晶パネル１１の表示画面上でタッチ操作を行うために設けられる入力デバイスである。タッチパネル３０に対してタッチ操作が行われると、タッチパネル３０は、タッチ位置に応じた信号を出力する。
【００３０】
タッチパネル３０としては、あらゆる方式のタッチパネルを用いることができるが、本実施形態では、静電容量方式のタッチパネルを用いている。この場合、タッチパネル３０は、センスライン、ドライブラインおよび静電容量を備えて構成される。ドライブラインとセンスラインとは格子状に配置されており、静電容量は、センスラインとドライブラインとの各交点に形成される。
【００３１】
また、ドライブラインおよびセンスラインは、タッチパネルコントローラ４０に接続されている。タッチパネルコントローラ４０は、特許請求の範囲に記載のタッチパネル駆動装置に相当するものであり、タッチパネル駆動部４１、タッチ位置検出部４２および走査禁止部４３を備えている。
【００３２】
タッチパネル駆動部４１は、タッチパネル３０のドライブラインに電圧信号（後述のタッチパネル駆動信号ＴＤ）を順次印加する。これにより、静電容量に電荷が蓄えられる。ここで、タッチパネル３０に物体が接触すると、接触位置に対応する静電容量の容量値が変化し、その静電容量が接続されているセンスラインの電流値が変化する。タッチパネルコントローラ４０のタッチ位置検出部４２は、センスラインの出力信号に基づいて、タッチ位置を検出することができる。
【００３３】
走査禁止部４３は、特許請求の範囲に記載の走査禁止手段に相当するものであり、液晶コントローラ２０に走査ウェイト信号Ｗを出力することにより、液晶パネル１１の走査信号線の駆動を禁止する機能を有している。すなわち、走査信号線が駆動されているときに、走査禁止部４３が走査ウェイト信号Ｗを出力すると、走査信号線の駆動が中断される。また、垂直帰線期間中に走査禁止部４３が走査ウェイト信号Ｗを出力すると、垂直帰線期間が終了しても、走査禁止部４３が走査ウェイト信号Ｗの出力を停止しない限り、走査信号線の駆動は開始されない。
【００３４】
さらに、タッチパネル駆動部４１は、走査禁止部４３が走査信号線の駆動を禁止している期間に、タッチパネル３０を駆動するように構成されている。すなわち、タッチパネルコントローラ４０は、能動的に液晶パネル１１の駆動を停止させ、液晶パネル１１の駆動が停止している期間に、タッチ検出動作を行うように構成されている。さらに、言い換えると、従来構成では、液晶駆動動作がマスターで、タッチ検出動作がスレーブの関係であるのに対し、本実施形態では、タッチ検出動作がマスターで、液晶駆動動作がスレーブの関係にある。
【００３５】
このように、本実施形態では、ノイズの影響を極力受けることなくタッチ検出動作を行うために、能動的に液晶駆動動作を停止させることができるので、液晶駆動動作に合わせてタッチ検出を行う従来構成に比べ、タッチ検出のための時間を長く確保することができる。そのため、タッチ位置の誤検出を防止できるとともに、感度の高いタッチ検出が可能となる。
【００３６】
また、液晶コントローラ２０は、液晶表示駆動を行っているか否かを示す液晶同期信号ＬＳをタッチパネルコントローラ４０に出力する。これにより、タッチパネルコントローラ４０は、液晶表示駆動を行っているか否かを確認することができる。
【００３７】
ホストコントローラ５０は、液晶コントローラ２０およびタッチパネルコントローラ４０を含む液晶表示装置１全体の制御を行う。例えば、ホストコントローラ５０は、液晶表示を行うための表示更新データＤを液晶コントローラ２０に供給するとともに、タッチパネルコントローラ４０によって検出されたタッチ位置に基づいて、表示更新データＤを更新する。なお、タッチパネルコントローラ４０とホストコントローラとは、ＳＰＩバスおよびＩ２Ｃバスによって接続されている。
【００３８】
（液晶パネルおよびタッチパネルの駆動タイミング）
続いて、液晶パネル１１およびタッチパネル３０の駆動タイミングについて説明する。図２および図３は、液晶コントローラ２０、タッチパネルコントローラ４０およびホストコントローラ５０の出力信号を示す波形図である。垂直同期信号ＶＳ１および表示更新データＤは、ホストコントローラ５０から液晶コントローラ２０に出力される。垂直同期信号ＶＳ２、水平同期信号ＨＳおよび走査信号ＳＤは、液晶コントローラ２０から液晶ドライバ１２に出力され、液晶同期信号ＬＳは、液晶コントローラ２０からタッチパネルコントローラ４０に出力される。走査ウェイト信号Ｗは、タッチパネルコントローラ４０から液晶コントローラ２０に出力され、タッチパネル駆動信号ＴＤは、タッチパネルコントローラ４０からタッチパネル３０のドライブラインに出力される。
【００３９】
本実施形態では、タッチパネル３０へのタッチ入力が検出された時点から、タッチ入力が検出されなくなって所定時間経過した時点までの第１の期間（タッチ検出期間とする）では、タッチパネル駆動部４１は、走査禁止部４３が走査信号線の駆動を禁止している期間にタッチパネル３０を駆動する。一方、第１の期間以外の第２の期間（スタンバイ期間とする）では、タッチパネル駆動部４１は、各フレームの垂直帰線期間にタッチパネル３０を駆動する。
【００４０】
（スタンバイ期間の動作）
図２は、スタンバイ期間における各信号の波形を示している。同図に示すように、表示更新データＤが、表示更新周波数である３０Ｈｚの垂直同期信号ＶＳ１に同期して、ホストコントローラ５０から液晶コントローラ２０に出力される。液晶コントローラ２０は、フレーム周波数である６０Ｈｚの垂直同期信号ＶＳ２および水平同期信号ＨＳを生成して、垂直同期信号ＶＳ２と水平同期信号ＨＳに同期した液晶表示データＬＤを液晶ドライバ１２に出力する。
【００４１】
また、液晶コントローラ２０は、走査信号線の駆動が行われない垂直帰線期間に、タッチパネルコントローラ４０に出力する液晶同期信号ＬＳをハイレベルにする。液晶同期信号ＬＳがハイレベルになることにより、タッチパネル駆動部４１は、走査信号線の駆動が停止していることを認識し、タッチパネル３０にタッチパネル駆動信号ＴＤを出力する。これにより、ノイズの少ないタイミングでタッチパネル３０を駆動することができる。
【００４２】
なお、スタンバイ期間では、タッチ入力が行われたか否かを検出できればよいので、検出感度が低くても問題はない。また、タッチパネル３０を駆動する周期がタッチ検出期間に比べて長いので、消費電力を抑えることができる。
【００４３】
このように、スタンバイ期間では、〔背景技術〕において説明した特許文献１に記載の技術のように、液晶表示のタイミングに合わせてタッチパネルの駆動を行う。
【００４４】
（タッチ検出期間の動作）
図３は、タッチ検出期間における各信号の波形を示している。タイミングａにおいてタッチパネル３０にタッチ入力が行われた場合、タッチパネルコントローラ４０の走査禁止部４３は、液晶コントローラ２０に出力する走査ウェイト信号Ｗをハイレベルにする。これに応じて液晶コントローラ２０は、水平同期信号ＨＳ及び液晶表示データＬＤの出力を停止して、走査信号線の駆動を中断するとともに（走査禁止ステップ）、タッチパネルコントローラ４０に出力する液晶同期信号ＬＳをハイレベルにする。液晶同期信号ＬＳがハイレベルになることにより、タッチパネル駆動部４１は、走査信号線の駆動が停止していることを認識し、タッチパネル３０にタッチパネル駆動信号ＴＤを出力する（駆動ステップ）。
【００４５】
タッチパネル３０の全てのドライブラインの駆動（すなわち、タッチパネル３０の全面のスキャン）が終了すると（タイミングｂ）、走査禁止部４３は、走査ウェイト信号Ｗをローレベルにする。これに応じて液晶コントローラ２０は、水平同期信号ＨＳを出力して、走査信号線の駆動を再開する。
【００４６】
タッチ検出期間では、走査禁止部４３は、垂直同期信号ＶＳ２の周期よりも短い所定の周期で走査ウェイト信号Ｗをハイレベルにする。これにより、タッチ検出期間では、ノイズの影響を受けることなくタッチパネル３０をスタンバイ期間よりも頻繁に駆動させることができる。したがって、液晶パネル１１の駆動周波数に関わらず、タッチパネル３０の感度を向上させることができる。
【００４７】
なお、タイミングｃに示すように、走査信号線が駆動していない垂直帰線期間に走査ウェイト信号Ｗがハイレベルになった場合、垂直帰線期間が終了しても、走査ウェイト信号Ｗがローレベルになるまで、走査信号線の駆動は開始されない。そのため、垂直帰線期間が終了したタイミングｄでは、走査ウェイト信号Ｗがハイレベルであるので、水平同期信号ＨＳは出力されず、走査ウェイト信号Ｗがローレベルとなるタイミングｅまで走査信号線は駆動されない。
【００４８】
図４（ａ）は、スタンバイ期間における垂直同期信号ＶＳ２および水平同期信号ＨＳの詳細な波形を示す図であり、図４（ｂ）は、タッチ検出期間における各信号のさらに詳細な波形を示す図である。同図に示すように、（１）走査ウェイト信号Ｗがハイレベルになると、（２）液晶コントローラ２０は水平同期信号ＨＳの出力を停止する。これにより、走査信号ＳＤの出力が停止され、走査信号線の駆動が中断される（液晶駆動停止）。なお、走査ウェイト信号Ｗがハイレベルになった時点で駆動されている走査信号線の駆動は中断されず、当該走査信号線の次の走査信号線は駆動されない。
【００４９】
液晶駆動が停止されると、（３）液晶コントローラ２０は、タッチパネルコントローラ４０に入力する液晶同期信号ＬＳをハイレベルにする。液晶同期信号ＬＳがハイレベルになったことにより、（４）タッチパネル駆動部４１は、液晶駆動が停止されたことを認識して、タッチパネル駆動信号ＴＤをハイレベルにする。これにより、（５）タッチパネル３０のドライブラインＴＸ１〜ＴＸｎが駆動され、タッチパネル３０のスキャンが実行される。タッチパネル３０のスキャンが終了すると、（６）走査禁止部４３は、走査ウェイト信号Ｗをローレベルにして、液晶コントローラ２０は、液晶駆動を再開する。
【００５０】
なお、タッチパネル３０のスキャンが１回実行される毎に、割り込み信号ＩＮＴによって、タッチパネル３０の座標が更新される。
【００５１】
このように、タッチ検出期間では、走査禁止部４３が走査信号線の駆動を禁止し、走査禁止部４３が走査信号線の駆動を禁止している期間に、タッチパネル駆動部４１がタッチパネル３０を駆動する。
【００５２】
（本発明に好適な液晶パネルについて）
図４（ａ）および（ｂ）に示すように、タッチ検出期間では、走査ウェイト信号Ｗがハイレベルの場合、水平同期信号ＨＳの出力が停止するので、液晶周波数（垂直同期信号ＶＳ２の周波数）が下がることとなる。そのため、６０Ｈｚでの表示画素のリフレッシュが必要な通常の液晶パネルに本実施形態に係るタッチパネルコントローラ４０を適用した場合、タッチ検出期間中は、表示画素に電荷を保持できず、ちらつきが視認されるようになる。
【００５３】
よって、本実施形態では、液晶パネル１１として、タッチパネル３０のスキャンに必要な時間、液晶駆動を停止させることができる液晶パネルを使用することが望ましい。例えば、インジウム、ガリウムおよび亜鉛を含む酸化物半導体（ＩＧＺＯ）でチャネル層が形成されたＴＦＴを表示画素のスイッチング素子として用いた液晶パネルは、表示画素の電荷保持期間が長いため、液晶パネル１１として好適である。
【００５４】
また、通常、タッチ操作は静止画像が表示されている状態で行われるため、液晶周波数が低下しても表示品位に影響はない。
【００５５】
（変形例）
図１に示す液晶表示装置１では、タッチパネルコントローラ４０と液晶コントローラ２０との間で、走査ウェイト信号Ｗおよび液晶同期信号ＬＳの送受信を行うことで、液晶駆動の禁止／再開の制御を行っていたが、本発明はこれに限定されない。
【００５６】
図５は、本実施形態の変形例に係る液晶表示装置１’の構成を示すブロック図である。液晶表示装置１’は、図１に示す液晶表示装置１において、液晶コントローラ２０を設ける代わりに、ホストコントローラ５０が液晶ドライバ１２に表示更新データＤを出力するとともに、タッチパネルコントローラ４０と液晶ドライバ１２との間で、走査ウェイト信号Ｗおよび液晶同期信号ＬＳの送受信を行う構成である。このように、タッチパネルコントローラ４０が走査ウェイト信号Ｗを液晶ドライバ１２に直接出力することにより、液晶駆動を制御してもよい。
【００５７】
（ソフトウェアによる実施例）
タッチパネルコントローラ４０の各ブロック、特にタッチパネル駆動部４１、タッチ位置検出部４２および走査禁止部４３は、集積回路（ＩＣチップ）上に形成された論理回路によってハードウェア的に実現してもよいし、ＣＰＵ（Central Processing Unit）を用いてソフトウェア的に実現してもよい。
【００５８】
後者の場合、タッチパネルコントローラ４０は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるタッチパネルコントローラ４０の制御プログラムのプログラムコード（実行形式プログラム、中間コードプログラム、ソースプログラム）をコンピュータで読み取り可能に記録した記録媒体を、タッチパネルコントローラ４０に供給し、そのコンピュータ（またはＣＰＵやＭＰＵ）が記録媒体に記録されているプログラムコードを読み出し実行することによっても、達成可能である。
【００５９】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【００６０】
また、タッチパネルコントローラ４０を備える液晶表示装置１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（NearField Communication）、ＤＬＮＡ（Digital Living Network Alliance）、携帯電話機網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００６１】
（実施形態の総括）
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００６２】
本発明に係るタッチパネル駆動装置は、タッチパネルのスキャンに必要な時間、表示駆動を停止させることができるあらゆる表示装置に好適であり、液晶表示装置だけでなく、例えば、有機ＥＬ表示装置にも適用可能である。
【符号の説明】
【００６３】
１    液晶表示装置（表示装置）
１’  液晶表示装置（表示装置）
１０  液晶モジュール
１１  液晶パネル
１２  液晶ドライバ
２０  液晶コントローラ
３０  タッチパネル
４０  タッチパネルコントローラ（タッチパネル駆動装置）
４１  タッチパネル駆動部（駆動手段）
４２  タッチ位置検出部
４３  走査禁止部（走査禁止手段）
５０  ホストコントローラ
【図１】
2013097469.tif 000003
【図２】
2013097469.tif 000004
【図３】
2013097469.tif 000005
【図４】
2013097469.tif 000006
【図５】
2013097469.tif 000007
【図６】
2013097469.tif 000008